(57)【特許請求の範囲】
【請求項１】
真空容器本体の内部に本体部シュラウドを、該真空容器本体に設けられた開閉扉の内部に扉部シュラウドをそれぞれ有し、前記扉部シュラウドを冷却するための液化窒素が流れる固定冷媒配管と、前記扉部シュラウドから扉の外側に引き出された扉部冷媒配管とを屈曲自在な可撓性断熱配管で接続した宇宙環境試験装置において、前記開閉扉を水平方向に設けられたガイドレールによって直線移動可能に支持し、前記可撓性断熱配管を開閉扉より上方位置で水平方向に配置したステージの上面に移動可能に載置するとともに、前記ステージを、宇宙環境試験装置を収納した収納体の天井部又は壁部から支持し、前記可撓性断熱配管は、前記固定冷媒配管との接続部及び扉部冷媒配管との接続部から開閉扉の移動方向に向かって互いに平行に延設される一対の直線部と、反接続部側の直線部同士を繋ぐ円弧部とを有し、開閉扉の移動に伴って一方の直線部が短縮するとともに他方の直線部が伸張して円弧部が移動することを特徴とする宇宙環境試験装置。
【発明の詳細な説明】
【技術分野】
【０００１】
本発明は、宇宙環境試験装置に関し、詳しくは、宇宙環境試験装置における真空容器本体に設けられた開閉扉内部の扉部シュラウドに冷媒である液化窒素を供給するための冷媒配管の接続構造に関する。
【背景技術】
【０００２】
宇宙環境試験装置は、宇宙の冷暗黒を模擬するため、高真空に排気される真空容器の内周部に、内面を黒色の高輻射率塗装で塗装され、液化窒素によって冷却されるシュラウドを設けている。円筒状真空容器の軸方向端部にヒンジによって開閉可能に支持された開閉扉内部の扉部シュラウドに液化窒素を供給するための冷媒配管（供給側配管及び回収側配管）の接続構造として、前記扉部シュラウドを冷却するための液化窒素が流れる固定冷媒配管と、前記扉部シュラウドから開閉扉の外側に引き出された扉部冷媒配管とを屈曲自在な可撓性断熱配管で接続することにより、冷媒配管を着脱することなく扉を開閉できるようにした宇宙環境試験装置が知られている（例えば、特許文献１参照。）。
【特許文献１】特開２００３−１３７２００号公報
【発明の開示】
【発明が解決しようとする課題】
【０００３】
しかし、前記特許文献１に記載された接続構造では、開閉扉を直線的に移動させて真空容器本体を開閉する宇宙環境試験装置には、そのままでは適用できなかった。また、可撓性断熱配管を保持するステージの一部を扉側に固着し、残部を真空容器本体側に固着しているので、真空容器の大きさなどに応じて個別に設計、製作する必要があった。
【０００４】
そこで本発明は、直線的に移動する開閉扉に適用でき、しかも、真空容器の大きさが異なっていても対応が可能で、開閉扉周辺の作業スペースも十分に確保することができる冷媒配管接続構造を備えた宇宙環境試験装置を提供することを目的としている。
【課題を解決するための手段】
【０００５】
上記目的を達成するため、本発明の宇宙環境試験装置は、真空容器本体の内部に本体部シュラウドを、該真空容器本体に設けられた開閉扉の内部に扉部シュラウドをそれぞれ有し、前記扉部シュラウドを冷却するための液化窒素が流れる固定冷媒配管と、前記扉部シュラウドから扉の外側に引き出された扉部冷媒配管とを屈曲自在な可撓性断熱配管で接続した宇宙環境試験装置において、前記開閉扉を水平方向に設けられたガイドレールによって直線移動可能に支持し、前記可撓性断熱配管を開閉扉より上方位置で水平方向に配置したステージの上面に移動可能に載置するとともに、前記ステージを、宇宙環境試験装置を収納した収納体の天井部又は壁部から支持したことを特徴としている。
【０００６】
さらに、本発明の宇宙環境試験装置は、前記可撓性断熱配管は、前記固定冷媒配管との接続部及び扉部冷媒配管との接続部から開閉扉の移動方向に向かって互いに平行に延設される一対の直線部と、反接続部側の直線部同士を繋ぐ円弧部とを有し、開閉扉の移動に伴って一方の直線部が短縮するとともに他方の直線部が伸張して円弧部が移動するように設けられていることを特徴としている。
【発明の効果】
【０００７】
本発明の宇宙環境試験装置によれば、開閉扉を直線移動させて真空容器本体を開閉する宇宙環境試験装置においても、冷媒配管を着脱することなく開閉扉を開閉することができる。特に、可撓性断熱配管を支持するステージを宇宙環境試験装置の収納体、通常は宇宙環境試験装置を設置した建屋の天井部や壁部で支持することにより、ステージ下方の床部分を作業スペースとして使用することができる。また、ステージの支持部材を真空容器から切り離した状態としているので、開閉扉の移動距離が同程度ならば、真空容器の大きさに関係なく対応が可能である。
【発明を実施するための最良の形態】
【０００８】
図は本発明の宇宙環境試験装置の一形態例を示すもので、図１及び図２は開閉扉を閉じた状態の宇宙環境試験装置を示す平面図及び正面図、図３及び図４は開閉扉を開いた状態の宇宙環境試験装置を示す平面図及び正面図である。
【０００９】
宇宙環境試験装置を構成する円筒状真空容器１１は、容器軸線を水平方向として床部に固定された真空容器本体１２と、該真空容器本体１２の一端部に着脱可能にフランジ結合される開閉扉１３とを備えている。開閉扉１３は、容器軸線に平行な方向に敷設した床面のガイドレール１４に沿って直線的に移動する台車１５の上に設けられており、開閉扉１３の開き位置は、ガイドレール１４の終端に設けられたストッパー１４ａにより規制されている。
【００１０】
真空容器本体１２及び開閉扉１３の内部には、従来と同様の本体部シュラウド及び扉部シュラウド（いずれも図示省略）がそれぞれ設けられており、各シュラウドには、真空容器本体１２及び開閉扉１３の上部にそれぞれ突設したヘッドタンク１２ａ，１３ａを介して本体部冷媒供給管１６，本体部冷媒回収管１７，扉部冷媒供給管１８及び扉部冷媒回収管１９がそれぞれ接続されている。
【００１１】
また、宇宙環境試験装置を設置した建屋の床部からは、図示しない冷媒供給手段や冷媒回収手段に接続した主供給管２１及び主回収管２２が立ち上がっており、前記本体部冷媒供給管１６及び本体部冷媒回収管１７は、これらの主供給管２１及び主回収管２２からそれぞれ分岐し、建屋天井部からの吊り金具等によって固定されている。
【００１２】
一方、前記扉部冷媒供給管１８及び扉部冷媒回収管１９と、前記主供給管２１及び主回収管２２からそれぞれ分岐した扉側固定供給管２３及び扉側固定回収管２４とは、ステージ２５に移動可能に載置された可撓性断熱配管２６，２７を介して接続されている。ステージ２５は、四方組みされた外枠２８の中に容器軸線に平行な方向の支持部材２９を複数本設けたものであって、梁３０等の建屋天井部部材や柱等の建屋壁部部材に取り付けた吊り金具３１により、開閉扉１３よりも上方位置で水平方向に支持されている。
【００１３】
扉部冷媒供給管１８及び扉部冷媒回収管１９と、扉側固定供給管２３及び扉側固定回収管２４とは、可撓性断熱配管２６，２７を円弧状に屈曲させたときの円弧の最小直径よりも大きな距離を隔ててステージ２５の一端側（開閉扉側）に設けられており、各管の可撓性断熱配管２６，２７との接続方向がステージ２５の他端方向（真空容器本体側）を向くように配置されている。
【００１４】
可撓性断熱配管２６，２７は、例えば、周知の真空断熱フレキシブルホースからなるものであって、扉部冷媒供給管１８及び扉部冷媒回収管１９との接続部１８ａ，１９ａ、扉側固定供給管２３及び扉側固定回収管２４との接続部２３ａ，２４ａから開閉扉１３の移動方向（容器軸線方向）に向かって互いに平行に延設される各一対の直線部２６ａ，２６ｂ，２７ａ，２７ｂと、反接続部側の直線部同士を繋ぐ半円形の円弧部２６ｃ，２７ｃとを有するＵ字状となっており、この円弧部２６ｃ，２７ｃが前記支持部材２９上にスライド可能に支持されている。
【００１５】
このような状態でステージ２５に載置された可撓性断熱配管２６，２７は、開閉扉１３の開閉の際に開閉扉１３と一緒に移動する扉部冷媒供給管１８及び扉部冷媒回収管１９の位置に応じて変形する。図１に実線で示すように、開閉扉１３が閉じているときには、扉部冷媒供給管１８及び扉部冷媒回収管１９がステージ２５の上部に進入し、扉部冷媒供給管１８及び扉部冷媒回収管１９側の直線部２６ａ，２７ａの長さは、扉側固定供給管２３及び扉側固定回収管２４側の直線部２６ｂ，２７ｂよりも短くなり、円弧部２６ｃ，２７ｃは、ステージ２５の真空容器本体側端部に位置した状態となっている。
【００１６】
この状態から開閉扉１３を開いていくと、開閉扉１３と共に扉部冷媒供給管１８の接続部１８ａ及び扉部冷媒回収管１９の接続部１９ａが図３に示す位置へ移動する過程で、扉側固定供給管２３及び扉側固定回収管２４側の直線部２６ｂ，２７ｂが次第に短縮するとともに、扉部冷媒供給管１８及び扉部冷媒回収管１９側の直線部２６ａ，２７ａが次第に伸張し、円弧部２６ｃ，２７ｃは、ステージ２５の真空容器本体側から開閉扉側に向かって次第に移動する状態、すなわち、直線部２６ｂ，２７ｂの反接続部側が円弧部２６ｃ，２７ｃの一部となり、円弧部２６ｃ，２７ｃの直線部２６ａ，２７ａ側が直線部２６ａ，２７ａの反接続部側となるようにして、見掛け上、円弧部２６ｃ，２７ｃがステージ２５上を開閉扉１３の移動方向に向かって移動していく状態となる。開閉扉１３を閉じる際には、開閉扉１３の移動に伴って円弧部２６ｃ，２７ｃがステージ２５上を真空容器本体側に向かって逆方向に移動する状態となる。
【００１７】
したがって、可撓性断熱配管２６，２７の長さは、開閉扉１３を開閉する際の円弧部２６ｃ，２７ｃの移動量に応じて設定され、また、扉部冷媒供給管１８及び扉部冷媒回収管１９と、扉側固定供給管２３及び扉側固定回収管２４との距離は、可撓性断熱配管２６，２７の最小屈曲可能直径に応じた距離以上に設定される。
【００１８】
このような冷媒配管接続構造を採用することにより、開閉扉１３の開閉の際に扉部冷媒供給管１８及び扉部冷媒回収管１９と扉側固定供給管２３及び扉側固定回収管２４とを着脱する必要がなくなり、開閉扉１３の開閉を容易に行うことができる。また、管接続時の漏洩試験や管取り外し時の昇温操作も不要となるので、開閉扉１３の開閉に要する作業を大幅に削減できるとともに、作業時間を大幅に短縮することができる。
【００１９】
さらに、真空容器本体１２や開閉扉１３のヘッドタンク１２ａ，１３ａより上方にステージ２５を配置し、この宇宙環境試験装置を収納した建屋の天井部や壁部でステージ２５を支持したことにより、宇宙環境試験装置周辺の作業空間を十分に確保することができ、開閉扉１３の開閉や真空容器本体１２内の機器の搬入、搬出も容易に行うことが可能となる。
【００２０】
また、ステージ２５や可撓性断熱配管２６，２７等を円筒状真空容器１１から独立した状態で形成することができるので、径や長さ等の形状が異なる宇宙環境試験装置にも同じような配管構造を適用することができ、宇宙環境試験装置全体の製作コストを低減することが可能である。さらに、ステージ２５の上面部分で可撓性断熱配管２６，２７と接触する部分を低摩擦状態になるように加工したり、低摩擦材料、例えばフッ素樹脂板等で被覆したりすることにより、前述の円弧部２６ｃ，２７ｃの移動を円滑化することができる。
【００２１】
なお、各シュラウドの構造や形式は任意であり、特に限定されるものではない。また、ステージ２５は、水平とすることが望ましいが、ガス溜まりが生じない程度の僅かな傾斜があってもよい。さらに、ステージ２５の上面を平面板状とし、この平面板上を円滑に移動する部材によって可撓性断熱配管２６，２７を間接的にステージ２５で支持することも可能である。また、開閉扉１３の開閉方向は、容器軸線と直交する方向であってもよく、開閉扉１３を上吊り形式とすることも可能である。
【図面の簡単な説明】
【００２２】
【図１】開閉扉を閉じた状態の宇宙環境試験装置を示す平面図である。
【図２】同じく正面図である。
【図３】開閉扉を開いた状態の宇宙環境試験装置を示す平面図である。
【図４】同じく正面図である。
【符号の説明】
【００２３】
１１…円筒状真空容器、１２…真空容器本体、１２ａ，１３ａ…ヘッドタンク、１３…開閉扉、１４…ガイドレール、１４ａ…ストッパー、１５…台車、１６…本体部冷媒供給管、１７…本体部冷媒回収管、１８…扉部冷媒供給管、１８ａ，１９ａ…接続部、１９…扉部冷媒回収管、２１…主供給管、２２…主回収管、２３…扉側固定供給管、２３ａ，２４ａ…接続部、２４…扉側固定回収管、２５…ステージ、２６，２７…可撓性断熱配管、２６ａ，２６ｂ，２７ａ，２７ｂ…直線部、２６ｃ，２７ｃ…円弧部、２８…外枠、２９…支持部材、３０…梁、３１…吊り金具
【図１】
0004673181.tif 000002
【図２】
0004673181.tif 000003
【図３】
0004673181.tif 000004
【図４】
0004673181.tif 000005